(57)【特許請求の範囲】
【請求項１】
密閉容器内に電動機部と、この電動機部に回転軸を介して連結される圧縮機構部とを収容する密閉型圧縮機において、
上記圧縮機構部は、内径孔を備えたシリンダと、上記回転軸を軸支する軸受孔を有するボス部と、上記シリンダの内径孔を塞いで内部に圧縮室を形成する主軸受および副軸受とを備え、
上記主軸受および上記副軸受は、上記圧縮室側に向かって開口する環状溝を有し、
上記環状溝は、その内周面が圧縮室側から反圧縮室側へ向って漸次直径が大きいテーパー状に形成され、
上記副軸受の環状溝の深さＧｓは、上記軸受孔内の回転軸の直径ｄの４０％以上に設定され、
上記主軸受の環状溝の深さＧｍは、上記回転軸の最小回転数が２０ｒｐｓより大きい場合には、０．３×ｄ＜Ｇｍ＜０．４×ｄに形成され、上記回転軸の最小回転数が２０ｒｐｓ以下の場合には、０．２×ｄ＜Ｇｍ＜０．３×ｄに形成されることを特徴とする密閉型圧縮機。
【請求項２】
上記副軸受のボス部の外径Ｄｓは、１．２ｄ≦Ｄｓ≦１．７ｄの関係を満たすよう設定されることを特徴とする請求項１記載の密閉型圧縮機。
【請求項３】
主軸受の最大ボス径Ｄｍは、上記回転軸の最小回転数が２０ｒｐｓより大きい場合には、１．５×ｄ＜Ｄｍ＜１．７×ｄとすることを特徴とする請求項１記載の密閉型圧縮機。
【請求項４】
主軸受の最大ボス径Ｄｍは、上記回転軸の最小回転数が２０ｒｐｓ以下の場合には、１．３×ｄ＜Ｄｍ＜１．５ｄとすることを特徴とする請求項１記載の密閉型圧縮機。
【請求項５】
上記請求項１乃至請求項４のいずれかに記載の密閉型圧縮機と、凝縮器と、膨張装置と、蒸発器とを備えたことを特徴とする冷凍サイクル装置。
【発明の詳細な説明】
【技術分野】
【０００１】
本発明は、軸受構造を改良した密閉型圧縮機と、この密閉型圧縮機を備える冷凍サイクル装置に関する。
【背景技術】
【０００２】
冷凍サイクル装置では、密閉容器内に電動機部と、この電動機部に回転軸（クランクシャフト）を介して連結される圧縮機構部とを収容してなるロータリ式の密閉型圧縮機が多用されている。この種の圧縮機においては、シリンダ内に形成される圧縮室に冷媒を導いて圧縮するため、回転軸には圧縮荷重が作用する。この圧縮荷重の作用により、回転軸には撓み変形が生じ、撓み方向の回転軸部分とこの回転軸を軸支する軸受との間に部分接触が生じる虞がある。この部分接触が生じると、回転軸の円滑な回転が損なわれ、ついには回転軸と軸受が損傷してしまう。
【０００３】
そこで、従来においては、主軸受及び副軸受のシリンダ側に環状溝を設けることにより、回転軸の撓み変形に応じて主軸受及び副軸受を撓み変形させるようにしている。これにより、主軸受及び副軸受けに対する回転軸の片当たりを弱めている（例えば、特許文献１参照。）。
【先行技術文献】
【特許文献】
【０００４】
【特許文献１】特開２００４−１２４８３４号公報
【発明の開示】
【発明が解決しようとする課題】
【０００５】
しかしながら、従来においては、主軸受及び副軸受の環状溝の内周面の直径が、環状溝の深さ方向に沿って同一であったため、環状溝の内周面と軸受孔の内周面間の厚さも環状溝の深さ方向に沿って同一となっている。
【０００６】
このため、環状溝のある範囲では回転軸と軸受との接触に関して軸受が撓むことで部分的な強い接触を回避できても、環状溝が終った部分では急激に軸受の剛性が高くなり、この部分で接触負荷を一気に受けてしまう。このため、局所的な摩耗を生じ、軸受の信頼性を十分に高めることができなかった。
【０００７】
本発明は上記事情にもとづきなされたものであり、その目的とするところは、主軸受及び副軸受と回転軸との接触による局所的な摩耗を防止し、信頼性の向上を図ることができるようにした密閉型圧縮機、及びこの密閉型圧縮機を備える冷凍サイクル装置を提供することにある。
【課題を解決するための手段】
【０００８】
上記課題を解決するため、本発明は、密閉容器内に電動機部と、この電動機部に回転軸を介して連結される圧縮機構部とを収容する密閉型圧縮機において、上記圧縮機構部は、内径孔を備えたシリンダと、上記回転軸を軸支する軸受孔を有するボス部と、上記シリンダの内径孔を塞いで内部に圧縮室を形成する主軸受および副軸受とを備え、上記主軸受および上記副軸受は、上記圧縮室側に向かって開口する環状溝を有し、上記環状溝は、その内周面が圧縮室側から反圧縮室側へ向って漸次直径が大きいテーパー状に形成され、上記副軸受の環状溝の深さＧｓは、上記軸受孔内の回転軸の直径ｄの４０％以上に設定され、上記主軸受の環状溝の深さＧｍは、上記回転軸の最小回転数が２０ｒｐｓより大きい場合には、０．３×ｄ＜Ｇｍ＜０．４×ｄに形成され、上記回転軸の最小回転数が２０ｒｐｓ以下の場合には、０．２×ｄ＜Ｇｍ＜０．３×ｄに形成されることを特徴とする。
【０００９】
また、本発明の冷凍サイクル装置は、上記記載の密閉型圧縮機と、凝縮器と、膨張装置と、蒸発器とを備えることを特徴とする。
【発明の効果】
【００１０】
本発明によれば、主軸受及び副軸受と回転軸との接触による局所的な摩耗を防止し、信頼性の向上を図ることができるようにした密閉型圧縮機、及びこの密閉型圧縮機を備える冷凍サイクル装置を提供することができる。
【図面の簡単な説明】
【００１１】
【図１】本発明の一実施の形態である密閉型圧縮機を備える冷凍サイクル装置を示す構成図。
【図２】図１の密閉型圧縮機の圧縮機構部を拡大して示す縦断面図。
【図３】図２の圧縮機構部の環状溝の深さ効果を示す特性図。
【図４】図２の圧縮機構部の副軸受ボス外形選択範囲を示すグラフ図。
【図５】図２の圧縮機構部の主軸受寸法と油膜厚みとの関係を示すグラフ図。
【図６】図２の圧縮機構部の主軸受寸法と接触負荷との関係を示すグラフ図。
【図７】図２の圧縮機構部の回転数と潤滑領域との関係を示すグラフ図。
【図８】図２の圧縮機構部のクランク撓みを示すグラフ図。
【図９】本発明の第２の実施の形態である密閉型圧縮機を示す縦断面図。
【発明を実施するための形態】
【００１２】
以下、本発明の実施の形態を、図面を参照して詳細に説明する。  
図１は、本発明の一実施の形態である密閉型圧縮機１を備える冷凍サイクル装置Ｒを示す概略的構成図である。  
図中１は、密閉型回転式圧縮機（以下、単に「圧縮機」と呼ぶ）で、この圧縮機１の上端部には冷媒管Ｐを介して順次、凝縮器２、膨張弁（膨張装置）３、蒸発器４、およびアキュームレータ５が接続されている。アキュームレータ５は冷媒管Ｐを介して圧縮機１の側部に接続され、冷凍サイクル装置Ｒの冷凍サイクルが構成されている。  
上記した圧縮機１は密閉容器１０を備え、この密閉容器１０内の上部側には電動機部１１、下部側には圧縮機構部１２が収容されている。電動機部１１と圧縮機構部１２とは回転軸１３を介して連結されている。
【００１３】
密閉容器１０の上面部には密閉容器内の冷媒を吐出する吐出管１ａが設けられ、この吐出管１ａに凝縮器２に連通する冷媒管Ｐが接続されている。密閉容器１０の下部周壁には孔部からなる吸込部１ｂが設けられ、この吸込部１ｂにアキュームレータ５に連通する冷媒管Ｐが接続されている。
【００１４】
電動機部１１は、回転軸１３に嵌着固定される回転子（ロータ）１５と、この回転子１５の外周面と狭小の間隙を存して内周面が対向され、密閉容器１０の内周壁に嵌着固定される固定子（ステータ）１６とから構成される。
【００１５】
図２は、上記した圧縮機構部１２を拡大して示す縦断面図である。  
圧縮機構部１２は、密閉容器１０の内周壁に嵌着固定され、軸芯に内径孔Ｓを備えたシリンダ２０と、このシリンダ２０の上面に取付けられる主軸受２１と、シリンダ２０下面に取付けられる副軸受２２とを備えている。シリンダ２０の内径孔Ｓは、主軸受２１と副軸受２２によって塞がれて空間部となっていて、この空間部は圧縮室（以下、「シリンダ室」と呼ぶ）Ｓとなる。
【００１６】
主軸受２１及び副軸受２２には軸受孔Ｎが設けられている。回転軸１３は電動機部１１とシリンダ２０上面との間の部分（主軸）が主軸受２１の軸受孔Ｎに貫通され、回転自在に軸支されている。また、回転軸１３はシリンダ２０下面から下端までの間の部分（副軸）が副軸受２２の軸受孔Ｎに貫通され、回転自在に軸支されている。
【００１７】
主軸受２１と副軸受２２はともに、シリンダ内径孔Ｓを塞ぐフランジ部２１ａ，２２ａと、このフランジ部２１ａ，２２ａの軸芯部に沿って一体に突設され、回転軸１３を軸支する軸受孔Ｎを備えた筒状枢支部（ボス部）２１ｂ，２２ｂとからなる。
【００１８】
上記回転軸１３には、中心軸が偏心量ｅだけ偏心する偏心部１３ａが一体に設けられている。この偏心部１３ａの周面には、ローリングピストン（以下、単に「ローラー」と呼ぶ）２５が嵌め込まれている。
【００１９】
ローラー２５および偏心部１３ａはシリンダ室Ｓに収容され、ローラー２５の外周壁一部は、軸方向に沿ってシリンダ室Ｓの周壁に潤滑油の油膜を介して線状に接触するよう設計されている。したがって、回転軸１３の回転によりローラー２５の外周壁のシリンダ室Ｓ周壁に対する接触位置が、漸次、周方向に移動するようになっている。
【００２０】
また、シリンダ２０には、図示しないブレード室が設けられている。このブレード室には、圧縮ばねが収容されるとともに、この圧縮ばねによって背圧を受けるブレードが移動自在に収容されている。ブレードの先端縁はローラー２５の外周壁一部に軸方向に沿って接触しており、シリンダ室Ｓはブレードにより常に二分されている。
【００２１】
主軸受２１には吐出孔２６が設けられている。吐出孔２６が設けられる位置は、ブレードの近傍で、その一側部になる。吐出孔２６には吐出弁機構２７が設けられ、主軸受２１に取付けられるバルブカバー（吐出マフラ）２８が吐出弁機構２７を覆っている。バルブカバー２８には密閉容器１０内に開口する案内孔ｃが設けられている。
【００２２】
上記シリンダ２０において、ブレードを挟んで吐出孔２６とは反対側の部位に吸込み部１ｂを構成する孔部が設けられている。この吸込み部１ｂは、シリンダ２０を径方向に貫通するとともに、密閉容器１０にも連通して設けられ、上記アキュームレータ５に連通する冷媒管Ｐが接続されている。なお、図２では説明の便宜上、吸込み部１ｂと吐出孔２６を同じ断面で示している。
【００２３】
ところで、上記した主軸受２１には環状溝Ｋ１が設けられ、副軸受２２には環状溝Ｋ２が設けられている。  
環状溝Ｋ１は、主軸受２１を構成するフランジ部２１ａと筒状枢支部２１ｂとの交差部から筒状枢支部２１ｂに亘って設けられている。この環状溝Ｋ１は、シリンダ室Ｓと対向する開口端ｄ１を備え、この開口端ｄ１から反シリンダ室Ｓ側である電動機部１１側へ向かって形成されている。
【００２４】
環状溝Ｋ１の開口端ｄ１は、主軸受２１に設けられる軸受孔Ｎと同心で、所定幅の円環状をなしている。環状溝Ｋ１の内周面ｑは開口端ｄ１から深さ方向に沿って、軸受孔Ｎ周面との間隔が漸次離間する方向に傾斜して形成され、外周面ｍは内周面ｑとの間隔が深さ方向に沿って狭まるように傾斜して形成されている。
【００２５】
換言すれば、環状溝Ｋ１の内周面ｑは軸方向に沿って漸次直径が拡大するテーパー状に形成されている。これにより、軸受孔Ｎ周面から環状溝Ｋ１の内周面ｑまでの肉厚が、環状溝Ｋの開口端ｄ１において最も小さく（薄く）、開口端ｄ１から深さ方向に亘って漸次厚くなる。
【００２６】
副軸受２２の環状溝Ｋ２は、主軸受２１の環状溝Ｋ１と略同様に形成されるが、その深さ寸法は異にされている。  
即ち、主軸受２１の環状溝Ｋ１の深さ寸法Ｇｍは、副軸受２２の環状溝Ｋ２の深さ寸法Ｇｓよりも浅く形成されている。さらに、副軸受２２の環状溝Ｋ２の深さ寸法Ｇｓは、回転軸１３の直径ｄの４０％以上に設定されている。また、上記副軸受２２のボス部の外径Ｄｓは、１．２ｄ≦Ｄｓ≦１．７ｄの関係を満たすよう設定されている。  
一方、上記回転軸１３の最小回転数が２０ｒｐｓより大きい場合には、主軸受２１の環状溝Ｋ１の深さ寸法Ｇｍは、０．３×ｄ＜Ｇｍ＜０．４×ｄで、かつ主軸受２１の最大ボス径Ｄｍは１．５×ｄ＜Ｄｍ＜１．７×ｄの関係を満たすように設定される。
【００２７】
また、上記回転軸１３の最小回転数が２０ｒｐｓ以下の場合には、主軸受２１の環状溝Ｋ１の深さ寸法Ｇｍは、０．２×ｄ＜Ｇｍ＜０．３×ｄで、かつ主軸受２１の最大ボス径Ｄｍは１．３×ｄ＜Ｄｍ＜１．５ｄの関係を満たすように設定される。
【００２８】
つぎに、圧縮機１の作用および冷凍サイクル装置Ｒの冷凍作用について説明する。  
圧縮機１を構成する電動機部１１に通電することで固定子１６の発生する回転磁界により回転子１５が回転し、回転子１５と一体の回転軸１３が回転駆動される。電動機部１１から回転軸１３に駆動トルクが作用し、回転軸１３に設けられる偏心部１３ａがローラー２５と一体にシリンダ室Ｓにおいて偏心回転運動を行う。
【００２９】
これによりシリンダ室Ｓの一部が負圧化し、アキュームレータ５から冷媒管Ｐを介して冷媒が導かれる。冷媒は、ローラー２５周面とシリンダ室Ｓ周面とブレードとで区画される空間部位に導かれ、ローラー２５の偏心回転にともない上記空間部位の容量が低減することで圧縮される。
【００３０】
上記空間部位が所定の容積に小さくなったとき、冷媒は所定の高圧状態になるとともに高温化する。圧縮されたガス冷媒により吐出弁機構２７が開放され、バルブカバー２８を介して密閉容器１０内部に導かれ充満する。密閉容器１０内に充満する高温高圧のガス冷媒は、吐出管１ａから冷媒管Ｐへ吐出される。  
ガス冷媒は凝縮器２において外気もしくは水などと熱交換し、凝縮液化して液冷媒に変る。この液冷媒は、膨張弁３に導かれて断熱膨張し、さらに蒸発器４に導かれて、蒸発器４が配置される周辺部位の空気と熱交換し蒸発する。
【００３１】
冷媒の蒸発にともなって周辺部位から蒸発潜熱を奪って冷気に変える。すなわち、周辺部位に対する冷凍作用をなす。蒸発器４で蒸発した冷媒は、アキュームレータ５に導かれ気液分離される。そして、圧縮機１のシリンダ室Ｓに吸込まれ、再び圧縮されて高温高圧の冷媒ガスに変り、上述の冷凍サイクルを繰り返す。
【００３２】
このように圧縮機１の圧縮機構部１２を構成するシリンダ室Ｓにおいて、アキュームレータ５から気液分離した冷媒を吸込む吸込み行程と、吸込んだ冷媒を圧縮する圧縮行程と、圧縮した冷媒を吐出する吐出行程とが、連続して行われる。  
ところで、上記した圧縮行程では、圧縮された高圧ガス冷媒により回転軸１３に圧縮荷重がかかり、ミクロ的に見ると回転軸１３には撓み変形が生じる。具体的には、回転軸１３は圧縮作用をなす時の圧縮荷重方向とは反対方向に撓み変形するが、上記したように主軸受２１及び副軸受２２を構成するため、回転軸１３の撓み変形にかかわらず、主軸受２１及び副軸受２２と回転軸１３との間に局所的な摩耗を生じることなく、円滑な回転が保証される。  
即ち、この実施の形態では、主軸受２１及び副軸受２２に形成される環状溝Ｋ１，Ｋ２が、圧縮室側に向かって開口するとともに、その内周面が圧縮室側から反圧縮室側へ向って漸次直径が大きいテーパー状に形成されるため、シリンダ室Ｓ側から遠ざかるにしたがって主軸受２１及び副軸受２２内径の剛性が高くなり、主軸受２１及び副軸受２２全体で均一な油膜生成を行い、幅広い運転領域において流体潤滑状態を維持できる。
【００３３】
なお、従来の柔構造溝では、環状溝内面と軸受孔周面との間の肉厚が環状溝の深さ方向に沿って同一であるため、軸受孔周面の剛性も同一であり、環状溝が終った部分で急激に剛性が高くなって軸受が受ける負荷の変動が大きい。したがって、環状溝が終った部分で油膜破断が生じ易いという問題がある。
【００３４】
また、この実施の形態では、副軸受２２の環状溝Ｋ２の深さＧｓを軸受孔Ｎの直径ｄの４０％以上に設定するため、副軸受２２の内面（軸受孔Ｎ）の変形が、より回転軸１３の変形に近い状態で倣い、回転軸１３と副軸受２２との間の油膜の形成と、回転軸１３の変形による接触に対して望ましい形となる。
【００３５】
図３は、横軸に環状溝Ｋ２の深さをとり、縦軸に回転軸１３と副軸受２２との間に形成される潤滑油の油膜の厚みと、回転軸１３と副軸受２２との接触力をとった、溝深さ効果を表す特性図である。  
図中実線変化は接触力を示し、破線変化は油膜厚みを示している。ただし、環状溝Ｋ２の深さは回転軸１３（軸受孔Ｎ）の軸径（直径）ｄとの比で示している。
【００３６】
内周面ｑがテーパー状に形成される環状溝Ｋ２の深さが０のとき、回転軸１３と副軸受２２との接触力が最大（１００近く）であり、これに対して油膜はほとんど形成されない。ある程度接触力が弱まったところで、油膜は最も薄い状態で形成される。環状溝Ｋ２の深さが大きくなるにしたがって、接触力は急激に低減し、油膜の厚みはそれに反比例して厚くなる。特に、環状溝Ｋ２の深さが０．４（軸径比の４０％）を越えると、接触力の低減度合いが急減状態から漸減状態に変るとともに、油膜厚みが、回転軸１３の外周面と副軸受２２の内面とを完全に分離し潤滑する流体潤滑状態となる理想値（１）を越え、これ以降は１以上を維持する。  
即ち、回転軸１３と副軸受２２との間において、潤滑油の油膜厚みは、溝深さを深くすることで増大していくが、環状溝Ｋ２が回転軸１３の軸径比で４０％以上の深さになると回転軸１３の傾きが大きくなり、油膜厚みは略一定となる。
【００３７】
また、この実施の形態では、主軸受２１の環状溝Ｋ１の深さ寸法Ｇｍを副軸受２２の環状溝Ｋ２の深さ寸法Ｇｓよりも小さく（浅く）するため、主軸受２１及び副軸受２２がそれぞれの軸の傾きに応じた変形性を持つことが可能となる。
【００３８】
即ち、回転軸１３の主軸受２１で支持される部分（主軸）及び副軸受２２で支持される部分（副軸）は、それぞれ実質的に軸受面内の上下端部２カ所で支持されるが、主軸受２１の筒状枢支部２１ｂの長さよりも副軸受２２の筒状枢支部２２ｂの長さが短い。そのため、図１及び図８に示すように、回転軸１３の副軸受２２で支持される部分の点ａ〜ｃの傾きは、主軸受２１で支持される部分の点ｄ〜ｆに比べ約５％大きな値をとる。即ち、主軸の軸受内での軸傾きは、副軸より小さくなるが、主軸受２１の環状溝Ｋ１の深さ寸法Ｇｍを副軸受２２の環状溝Ｋ２の深さ寸法Ｇｓよりも小さく（浅く）することにより、主軸受２１及び副軸受２２がそれぞれの軸の傾きに応じた変形性を持つことになり、主軸受２１及び副軸受２２に対する回転軸１３の平行性が高まり、安定した油膜形成能力を得て高い信頼性を得ることができる。
【００３９】
また、上記副軸受２２のボス部の外径Ｄｓを１．２ｄ≦Ｄｓ≦１．７ｄの関係を満たすよう設定するため、副軸受２２全体の剛性を低下させることができる。従って、副軸受２２における回転軸１３の傾きが大きくても、その傾きに倣って副軸受２２を変形させることができる。よって、使用領域に合わせた軸受剛性を調整することが可能となり、安定した油膜形成性による高い信頼性を確保することができる。
【００４０】
図４は副軸受ボス部外径と油膜厚みとの関係を示すグラフ図である。
【００４１】
このグラフからも分かるように、副軸受２２のボス部の外径Ｄｓは、上限値１．７ｄ、下限値１．２ｄにおいて、油膜厚みで流体潤滑状態が得られる、副軸受２２の内面と回転軸１３の副軸外周面の半径方向隙間の５０％以上の油膜厚みを得ることができ、高い信頼性を確保することができる。
【００４２】
また、この実施の形態では、回転軸１３の最小回転数が２０ｒｐｓより大きい場合には、主軸受２１の環状溝Ｋ１の深さ寸法Ｇｍが、０．３×ｄ＜Ｇｍ＜０．４×ｄで、主軸受２１の最大ボス径Ｄｍが１．５×ｄ＜Ｄｍ＜１．７×ｄの関係を満たすように設定するため、環状溝Ｋ１の局所剛性を落として回転軸１３の傾きを吸収し、主軸受２１全体の剛性を高めて使用領域内での安定した油膜形成を行うことが可能になる。
【００４３】
即ち、コンプレッサの使用範囲の最小回転数が２０ｒｐｓより大きい場合、後述する図７でも示すように油膜形成のクサビ効果による巻き込みでの油圧発生が十分なため、主軸受２１全体の剛性を下げると油圧で主軸受２１が過大な変形を起こす。この過大な変形は主軸受２１に対する回転軸１３の平行度が崩れ、油膜形成性が悪化する。
【００４４】
そこで、回転軸１３の傾きは環状溝Ｋ１の局所剛性を落とすことで吸収し、主軸受２１全体の剛性を高めることで、使用領域内での安定した油膜形成を行う。
【００４５】
図５は、主軸受外径、および環状溝深さと油膜厚みの関係を示すグラフ図である。このグラフからも分かるように、主軸受２１の環状溝Ｋ１の深さ寸法Ｇｍを、０．３×ｄ＜Ｇｍ＜０．４×ｄ、主軸受２１の最大ボス径Ｄｍを１．５×ｄ＜Ｄｍ＜１．７×ｄとすることにより、油膜厚みで半径隙間５０％以上の油膜厚みＡを得ることができる。
【００４６】
また、この実施の形態では、回転軸１３の最小回転数が２０ｒｐｓ以下の場合には、主軸受２１の環状溝Ｋ１の深さ寸法Ｇｍを０．２×ｄ＜Ｇｍ＜０．３×ｄ、主軸受２１の最大ボス径Ｄｍを１．３×ｄ＜Ｄｍ＜１．５ｄの関係を満たすように設定するため、環状溝Ｋ１の局所変形を減らすとともに、主軸受２１全体の剛性を落とすことができる。
【００４７】
即ち、低回転を必要とする圧縮機では、後述する図７でも示すように回転による潤滑油巻き込みによる油圧発生能力が低下する。
【００４８】
そこで、主軸受２１全体の剛性を下げて軸受全体を変形させ、油膜形成が可能な面積を確保することで負荷支持を行う。また、環状溝Ｋ１の局所変形を減らすとともに、主軸受２１全体の剛性を落とすことで低回転側の使用領域内での安定した油膜形成を行う。
【００４９】
なお、回転数がさらに下がって油膜による潤滑である完全流体潤滑から、油膜による負荷支持に加え回転軸１３と主軸受２１の面粗さの固体接触が一定の負荷を支持する混合潤滑状態に遷移する条件下でも、主軸受２１全体が変形することで局所的な強い接触を防ぎ焼き付き、異常摩耗等を防ぐことができる。
【００５０】
図６は、主軸受２１の外径および環状溝の深さと接触負荷の関係を示すグラフである。
【００５１】
このグラフからも分かるように、主軸受２１の環状溝Ｋ１の深さ寸法Ｇｍを０．２×ｄ＜Ｇｍ＜０．３×ｄ、主軸受２１の最大ボス径Ｄｍを１．３×ｄ＜Ｄｍ＜１．５ｄとすることにより、接触負荷（１）以下とすることができ、焼き付き、異常摩耗等を防ぐことができる。
【００５２】
図７は圧縮機の回転数と摩擦係数との関係を示すグラフ図である、
圧縮機の回転数が２０ｒｐｓより大きくなると、回転軸１３と主軸受２１の２面間に、潤滑油が介在し、完全に両者を分離し、潤滑する流体潤滑領域になる。また、圧縮機の回転数が２０ｒｐｓ以下では、潤滑油が薄くなり、回転軸１３と主軸受２１の２面間の一部に表面同士の接触が起こる混合潤滑領域となる。
【００５３】
なお、厳密には、潤滑油粘度、負荷が関係するが、圧縮機では、通常、負荷に応じて回転軸の径を変化させて、単位面積あたりの負荷が同等になるように設計するため、速度＝軸回転数で単純化して考えることができる。
【００５４】
図９は、本発明の第２の実施の形態である密閉型圧縮機１Ａを示す縦断面図である。
【００５５】
基本的に、密閉容器１０内に、電動機部１１と、この電動機部１１に回転軸１３を介して連結される圧縮機構部１２Ａとを収容する構成は上記した第１の実施の形態とは変りがない。
【００５６】
圧縮機構部１２Ａは、中間仕切り板３０を介して上下に配置される２つのシリンダ２０Ａ，２０Ｂを備えた２シリンダタイプの圧縮機１Ａで、それぞれのシリンダ２０Ａ，２０Ｂに内径孔Ｓａを備えている。上部側のシリンダ２０Ａの内径孔Ｓａは主軸受２１と中間仕切り板３０とで塞がれて、第１のシリンダ室Ｓａが形成されている。
【００５７】
また、下部側のシリンダ２０Ｂの内径孔Ｓｂは、副軸受２２と中間仕切り板３０とで塞がれて、第２のシリンダ室Ｓｂが形成されている。第１のシリンダ室Ｓａと第２のシリンダ室Ｓｂには、回転軸１３と一体で互いに１８０°の位相差をもって設けられる偏心部１３ａ，１３ｂと、この偏心部１３ａ，１３ｂに嵌め込まれるローラー２５が収容されている。
【００５８】
上記回転軸１３の主軸受２１で軸支される部分の直径と、副軸受２２で軸支される部分の直径は、互いに同一である。換言すれば、主軸受２１および副軸受２２に設けられる軸受孔Ｎの直径は互いに同一である。
【００５９】
そして、上記主軸受２１および上記副軸受２２のいずれにも、上記シリンダ室Ｓａ，Ｓｂに対して開口する環状溝Ｋ１，Ｋ２が設けられる。この環状溝Ｋ１，Ｋ２の内周面は、シリンダ室Ｓａ，Ｓｂ対向面から反シリンダ室側へ向って漸次直径が大きいテーパー状に形成されている。また、環状溝Ｋ２の深さは軸受孔の直径の４０％以上に設定されている。  
この第２の実施の形態においても、先に述べた設定条件の全てを備えているので、主軸受２１および副軸受２２ともに同様の作用効果を奏する。
【００６０】
なお、本発明は上述した実施の形態そのままに限定されるものではなく、実施段階ではその要旨を逸脱しない範囲で構成要素を変形して具体化できる。そして、上述した実施の形態に開示されている複数の構成要素の適宜な組合せにより種々の発明を形成できる。
【符号の説明】
【００６１】
１０…密閉容器、１１…電動機部、１３…回転軸、１２…圧縮機構部、１…密閉型圧縮機、Ｎ…内径孔（シリンダ室：圧縮室）２０…シリンダ、Ｎ…軸受孔、２１…主軸受、２２…副軸受、２１ａ，２２ｂ…筒状枢支部（ボス部）、Ｋ１，Ｋ２…環状溝、２…凝縮器、３…膨張弁（膨張装置）、４…蒸発器。
【図１】
0005449999.tif 000002
【図２】
0005449999.tif 000003
【図３】
0005449999.tif 000004
【図４】
0005449999.tif 000005
【図５】
0005449999.tif 000006
【図６】
0005449999.tif 000007
【図７】
0005449999.tif 000008
【図８】
0005449999.tif 000009
【図９】
0005449999.tif 000010